【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
黒トナーで印刷する署名鑑印刷データを生成する第一の生成手段と、
前記署名鑑印刷データに基づいて、透明蛍光トナーで印刷する透明蛍光印刷データを生成する第二の生成手段と、
前記署名鑑印刷データを黒トナーで印刷する第一の印刷手段と、
前記透明蛍光印刷データを署名鑑が印刷される座標位置に対応する位置に透明蛍光トナーで印刷する第二の印刷手段と、
を具備したことを特徴とする証券発行装置。
【請求項２】
前記第二の印刷手段は、黒トナーで印刷される署名鑑とは上下左右にずれた位置に、前記透明蛍光印刷データを透明蛍光トナーで印刷することを特徴とする請求項１記載の証券発行装置。
【請求項３】
前記第二の印刷手段は、前記透明蛍光印刷データによって前記署名鑑印刷データを縁取ること特徴とする請求項１記載の証券発行装置。
【請求項４】
黒トナーで印刷する署名鑑印刷データを生成する第一の生成手段と、
顧客データに基づいて、透明蛍光トナーで印刷する透明蛍光印刷データを生成する第二の生成手段と、
前記署名鑑印刷データを黒トナーで印刷する第一の印刷手段と、
前記透明蛍光印刷データを署名鑑が印刷される座標位置に対応する位置に透明蛍光トナーで印刷する第二の印刷手段と、
を具備したことを特徴とする証券発行装置。
【請求項５】
黒トナーで印刷する印刷データを生成する第一の生成手段と、
顧客データに基づいて、透明蛍光トナーで印刷する透明蛍光印刷データを生成する第二の生成手段と、
前記印刷データを黒トナーで印刷する第一の印刷手段と、
前記透明蛍光印刷データを透明蛍光トナーで印刷する第二の印刷手段と、
を具備したことを特徴とする証券発行装置。
【請求項６】
コンピュータに、
黒トナーで印刷する署名鑑印刷データを生成する機能と、
前記署名鑑印刷データに基づいて、透明蛍光トナーで印刷する透明蛍光印刷データを生成する機能と、
前記署名鑑印刷データを黒トナーで印刷する機能と、
前記透明蛍光印刷データを署名鑑が印刷される座標位置に対応する位置に透明蛍光トナーで印刷する機能と、
を実現させるためのプログラム。
【請求項７】
コンピュータに、
黒トナーで印刷する署名鑑印刷データを生成する機能と、
顧客データに基づいて、透明蛍光トナーで印刷する透明蛍光印刷データを生成する機能と、
前記署名鑑印刷データを黒トナーで印刷する機能と、
前記透明蛍光印刷データを署名鑑が印刷される座標位置に対応する位置に透明蛍光トナーで印刷する機能と、
を実現させるためのプログラム。
【請求項８】
コンピュータに、
黒トナーで印刷する印刷データを生成する機能と、
顧客データに基づいて、透明蛍光トナーで印刷する透明蛍光印刷データを生成する機能と、
前記印刷データを黒トナーで印刷する機能と、
前記透明蛍光印刷データを透明蛍光トナーで印刷する機能と、
を実現させるためのプログラム。
【手続補正２】
【補正対象書類名】明細書
【補正対象項目名】０００８
【補正方法】変更
【補正の内容】
【０００８】
【課題を解決するための手段】
請求項１記載の発明の証券発行装置は、
黒トナーで印刷する署名鑑印刷データを生成する第一の生成手段と、
前記署名鑑印刷データに基づいて、透明蛍光トナーで印刷する透明蛍光印刷データを生成する第二の生成手段と、
前記署名鑑印刷データを黒トナーで印刷する第一の印刷手段と、
前記透明蛍光印刷データを署名鑑が印刷される座標位置に対応する位置に透明蛍光トナーで印刷する第二の印刷手段と、
を具備したことを特徴としている。
【手続補正３】
【補正対象書類名】明細書
【補正対象項目名】０００９
【補正方法】変更
【補正の内容】
【０００９】
請求項４記載の発明の証券発行装置は、
黒トナーで印刷する署名鑑印刷データを生成する第一の生成手段と、
顧客データに基づいて、透明蛍光トナーで印刷する透明蛍光印刷データを生成する第二の生成手段と、
前記署名鑑印刷データを黒トナーで印刷する第一の印刷手段と、
前記透明蛍光印刷データを署名鑑が印刷される座標位置に対応する位置に透明蛍光トナーで印刷する第二の印刷手段と、
を具備したことを特徴としている。
【手続補正４】
【補正対象書類名】明細書
【補正対象項目名】００１０
【補正方法】変更
【補正の内容】
【００１０】
請求項５記載の発明の証券発行装置は、
黒トナーで印刷する印刷データを生成する第一の生成手段と、
顧客データに基づいて、透明蛍光トナーで印刷する透明蛍光印刷データを生成する第二の生成手段と、
前記印刷データを黒トナーで印刷する第一の印刷手段と、前記透明蛍光印刷データを透明蛍光トナーで印刷する第二の印刷手段と、
を具備したことを特徴としている。
【手続補正５】
【補正対象書類名】明細書
【補正対象項目名】０１０２
【補正方法】変更
【補正の内容】
【０１０２】
【発明の効果】
請求項１記載の発明の証券発行装置、及び請求項６記載の発明のプログラムによれば、証券毎に異なる署名鑑を黒トナーで印刷すると共に、その署名鑑が印刷される座標位置に対応する位置に、透明で、且つ、紫外線の照射により蛍光する透明蛍光トナーを用いて透明蛍光印刷データを印刷する。例えば、透明蛍光トナーを用いて署名鑑を証券に印刷する場合に、コピー機やスキャナ等による光学的な読取手段にて証券を偽造しても、紫外線をあてると、透明蛍光トナーを用いて印刷された署名鑑が蛍光せず、目視で確認することにより、偽造された証券であることを容易に識別することができる。即ち、透明蛍光トナーは特殊なトナーのため、一般的なコピー機やプリンタ等では同等のものを印刷することができない。また、黒トナーと透明蛍光トナーによる印刷を１パスで実現するので、証券の発行業務に係る効率性は高く、且つ、トナー毎に印刷機を必要としないので、費用が安く済む。従って、セキュリティの高い証券を安価に発行することができる。
【手続補正６】
【補正対象書類名】明細書
【補正対象項目名】０１０６
【補正方法】変更
【補正の内容】
【０１０６】
請求項４記載の発明の証券発行装置、及び請求項７記載の発明のプログラムによれば、署名鑑が印刷される座標位置に対応する位置に、顧客に応じて異なる透明蛍光印刷データを透明蛍光トナーで印刷する。例えば、透明蛍光トナーを用いて顧客に応じて異なる地紋を証券に印刷する場合に、コピー機やスキャナ等による光学的な読取手段にて証券を偽造しても、紫外線をあてると、透明蛍光トナーを用いて印刷した地紋が蛍光せず、目視で確認することにより、偽造された証券であることを容易に識別することができる。即ち、透明蛍光トナーは特殊なトナーのため、一般的なコピー機やプリンタ等では同等のものを印刷することができない。また、黒トナーと透明蛍光トナーとによる印刷を１パスで実現するので、証券の発行業務に係る効率性は高く、且つ、トナー毎に印刷機を必要としないので、費用が安く済む。更に、券面に印刷する地紋を顧客毎に変えるために、バリエーションに富んだ証券を発行することができる。従って、セキュリティの高い証券を安価に発行することができる。
【手続補正７】
【補正対象書類名】明細書
【補正対象項目名】０１０８
【補正方法】削除
【補正の内容】
【手続補正８】
【補正対象書類名】明細書
【補正対象項目名】０１０９
【補正方法】削除
【補正の内容】
【手続補正９】
【補正対象書類名】明細書
【補正対象項目名】０１１０
【補正方法】削除
【補正の内容】
【手続補正１０】
【補正対象書類名】明細書
【補正対象項目名】０１１１
【補正方法】変更
【補正の内容】
【０１１１】
請求項５記載の発明の証券発行装置、及び請求項８記載の発明のプログラムによれば、印刷データを黒トナーで印刷すると共に、透明蛍光印刷データを透明蛍光トナーで印刷する。例えば、黒トナーを用いて要件を印刷し、透明蛍光トナーを用いて顧客毎に設定された項目を証券に印刷する場合に、コピー機やスキャナ等による光学的な読取手段にて証券を偽造しても、紫外線をあてると、透明蛍光トナーを用いて印刷された項目が蛍光されず、目視で確認することにより、偽造された証券であることを容易に識別することができる。即ち、透明蛍光トナーは特殊なトナーのため、一般的なコピー機やプリンタ等では同等のものを印刷することができない。また、黒トナーと透明蛍光トナーとによる印刷を１パスで実現するので、証券の発行業務に係る効率性は高く、且つ、トナー毎に印刷機を必要としないので、費用が安く済む。従って、セキュリティの高い証券を安価に発行することができる。
【手続補正１１】
【補正対象書類名】明細書
【補正対象項目名】０１１３
【補正方法】削除
【補正の内容】
【手続補正１２】
【補正対象書類名】明細書
【補正対象項目名】０１１４
【補正方法】削除
【補正の内容】
【手続補正１３】
【補正対象書類名】明細書
【補正対象項目名】０１１５
【補正方法】削除
【補正の内容】
【手続補正１４】
【補正対象書類名】明細書
【補正対象項目名】０１１６
【補正方法】削除
【補正の内容】